(57)【要約】      （修正有）【課題】携帯端末を見ながら歩くことを誘発せずに、携帯端末を携行するユーザに案内情報を提供する案内システムを提供する。【解決手段】案内システム１のサイネージ端末３は、固定設置される。ビーコン４は、各サイネージ端末に対応して設けられる。サーバ５は、サイネージ端末及びビーコンと通信可能に接続されている。携帯端末２は、端末識別ＩＤを有し、目的地情報が入力された時、その端末識別ＩＤ及び目的地情報をサーバに送信する。ビーコンは、固有識別ＩＤを含むビーコン信号を発信する。携帯端末は、そのビーコン信号を受信した時、固有識別ＩＤ及び端末識別ＩＤをサーバに送信する。サーバは、固有識別ＩＤ及び端末識別ＩＤを受信した時、その固有識別ＩＤを有するビーコンの設置エリアから目的地情報で示される目的地に案内するための案内情報をサイネージ端末に表示させる。これにより、案内情報が、固定設置されたサイネージ端末に表示される。【選択図】図１
2020176960.tif 000002
【特許請求の範囲】
【請求項１】
携帯端末を携行するユーザに案内情報を提供するための案内システムであって、
固定設置され、表示する情報が可変であるサイネージ端末と、
前記各サイネージ端末に対応して設けられたビーコンと、
前記サイネージ端末及び携帯端末と通信可能に接続されたサーバとを備え、
携帯端末は、その携帯端末を識別する端末識別ＩＤを有し、目的地情報が入力された時、その端末識別ＩＤ及び目的地情報を前記サーバに送信し、
前記ビーコンは、そのビーコンを識別する固有識別ＩＤを含むビーコン信号を発信し、
前記携帯端末は、前記ビーコン信号を受信した時、その固有識別ＩＤ及び前記端末識別ＩＤを前記サーバに送信し、
前記サーバは、前記固有識別ＩＤ及び端末識別ＩＤを受信した時、その固有識別ＩＤを有するビーコンの設置エリアから前記目的地情報で示される目的地に案内するための案内情報を前記サイネージ端末に表示させることを特徴とする案内システム。
【請求項２】
前記サーバは、案内情報を前記サイネージ端末に表示させた時、前記端末識別ＩＤを有する携帯端末に音又は振動を出力させることを特徴とする請求項２に記載の案内システム。
【請求項３】
携帯端末を携行するユーザに案内情報を提供するための案内システムであって、
固定設置され、表示する情報が可変であるサイネージ端末と、
前記各サイネージ端末に対応して設けられたビーコンと、
前記サイネージ端末及び携帯端末と通信可能に接続されたサーバとを備え、
前記ビーコンは、そのビーコンを識別する固有識別ＩＤを含むビーコン信号を発信し、
携帯端末は、目的地情報が入力されており、前記ビーコン信号を受信した時、その固有識別ＩＤ及び前記目的地情報を前記サーバに送信し、
前記サーバは、前記固有識別ＩＤ及び目的地情報を受信した時、その固有識別ＩＤを有するビーコンの設置エリアから前記目的地情報で示される目的地に案内するための案内情報を前記サイネージ端末に表示させることを特徴とする案内システム。
【請求項４】
前記携帯端末は、前記ビーコン信号を受信した時、又は、前記固有識別ＩＤ及び目的地情報を前記サーバに送信した時、音又は振動を出力することを特徴とする請求項３に記載の案内システム。
【請求項５】
前記サイネージ端末は、音声を出力するスピーカを有し、案内情報を表示した時、前記スピーカに音声を出力させることを特徴とする請求項１乃至請求項４のいずれか一項に記載の案内システム。
【請求項６】
前記携帯端末は、前記サイネージ端末に表示するためのユーザ名が設定されており、前記目的地情報に加えてそのユーザ名を前記サーバに送信し、
前記サーバは、案内情報を前記サイネージ端末に表示させる時、その案内情報とともに前記ユーザ名を表示させることを特徴とする請求項１乃至請求項５のいずれか一項に記載の案内システム。
【請求項７】
前記携帯端末は、表示言語が設定され、前記目的地情報に加えてその表示言語の情報を前記サーバに送信し、
前記サーバは、案内情報を前記サイネージ端末に表示させる時、前記表示言語に応じた案内情報を表示させることを特徴とする請求項１乃至請求項６のいずれか一項に記載の案内システム。
【請求項８】
前記サーバは、前記サイネージ端末に案内情報を表示させていない表示エリアがある時、その表示エリアに広告を表示させることを特徴とする請求項１乃至請求項７のいずれか一項に記載の案内システム。
【請求項９】
前記サーバは、前記ビーコンの設置エリアに応じて、そのビーコンに対応する前記サイネージ端末に広告を表示させることを特徴とする請求項８に記載の案内システム。
【請求項１０】
前記サーバは、表示する時間帯に応じて、前記サイネージ端末に広告を表示させることを特徴とする請求項８又は請求項９に記載の案内システム。
【請求項１１】
前記携帯端末は、その携帯端末のユーザの属性情報を有し、前記目的地情報に加えてその属性情報を前記サーバに送信し、
前記サーバは、案内情報を前記サイネージ端末に表示させる時、その案内情報とともに前記属性情報に応じた広告を表示させることを特徴とする請求項８に記載の案内システム。
【請求項１２】
前記属性情報は、ユーザの年齢及び性別の情報を含むことを特徴とする請求項１１に記載の案内システム。
【請求項１３】
前記サーバは、前記目的地情報及び属性情報を、それを受信した時間帯ごとに蓄積する案内実績データベースを有することを特徴とする請求項１１又は請求項１２に記載の案内システム。
【請求項１４】
前記携帯端末は、目的地を検索するためのユーザによる入力を受け付け、その検索結果に基づいて前記目的地情報が入力されることを特徴とする請求項１乃至請求項１３に記載の案内システム。
【請求項１５】
入力支援用サイネージ端末をさらに備え、
前記入力支援用サイネージ端末は、固定設置され、前記サーバと通信可能に接続され、表示する情報が可変であり、ユーザによる目的地の入力を受け、
前記サーバは、前記入力支援用サイネージ端末に入力された目的地の２次元バーコードをその入力支援用サイネージ端末に表示させ、
前記携帯端末は、２次元バーコードを撮像する機能を有し、撮像された前記目的地の２次元バーコードに基づいて前記目的地情報が入力されることを特徴とする請求項１乃至請求項１３に記載の案内システム。
【請求項１６】
前記サーバは、前記入力支援用サイネージ端末に目的地の２次元バーコードを表示させた後、所定の時間内に前記携帯端末から前記目的地情報を受信しない場合、前記目的地に案内するための案内情報をその入力支援用サイネージ端末に一定時間表示させることを特徴とする請求項１５に記載の案内システム。
【発明の詳細な説明】
【技術分野】
【０００１】
本発明は、携帯端末を携行するユーザに案内情報、特に、屋内におけるルート案内情報を提供するための案内システムに関する。
【背景技術】
【０００２】
ＧＰＳ測位機能を有する携帯端末であるスマートフォンの普及によって、屋外でスマートフォンの画面に案内経路を表示する歩行者用のナビゲーションシステムが広く知られている（例えば、特許文献１参照）。しかし、屋内ではＧＰＳに代わる統一的な測位手段が確立しておらず、ユーザの正確な位置情報に基づく屋内ナビゲーションは一般化されていない。
【０００３】
屋内ナビゲーションを提供するものとして、位置情報を送信する装置（位置情報送信ユニット）を建物内に設け、携帯端末がその装置から位置情報を受信し、地図と案内経路をその携帯端末の画面に表示するシステムが知られている（例えば、特許文献２参照）。しかし、このようなシステムは、位置情報を送信する装置を有する屋内インフラを整備する必要があり、そのコストを負担するインセンティブを想定しづらい。また、このような携帯端末を利用したナビゲーションは、歩行者が携帯端末を見ながら歩くこと（いわゆる「歩きスマホ」）を誘発するので、安全上好ましいとはいえない。
【先行技術文献】
【特許文献】
【０００４】
【特許文献１】特開２００７−２４７００号公報
【特許文献２】特開２００６−２３０９４号公報
【発明の概要】
【発明が解決しようとする課題】
【０００５】
本発明は、上記問題を解決するものであり、携帯端末を見ながら歩くことを誘発せずに、携帯端末を携行するユーザに案内情報を提供することを目的とする。
【課題を解決するための手段】
【０００６】
本発明の案内システムは、携帯端末を携行するユーザに案内情報を提供するためのシステムであって、固定設置され、表示する情報が可変であるサイネージ端末と、前記各サイネージ端末に対応して設けられたビーコンと、前記サイネージ端末及び携帯端末と通信可能に接続されたサーバとを備え、携帯端末は、その携帯端末を識別する端末識別ＩＤを有し、目的地情報が入力された時、その端末識別ＩＤ及び目的地情報を前記サーバに送信し、前記ビーコンは、そのビーコンを識別する固有識別ＩＤを含むビーコン信号を発信し、前記携帯端末は、前記ビーコン信号を受信した時、その固有識別ＩＤ及び前記端末識別ＩＤを前記サーバに送信し、前記サーバは、前記固有識別ＩＤ及び端末識別ＩＤを受信した時、その固有識別ＩＤを有するビーコンの設置エリアから前記目的地情報で示される目的地に案内するための案内情報を前記サイネージ端末に表示させることを特徴とする。
【０００７】
この案内システムにおいて、前記サーバは、案内情報を前記サイネージ端末に表示させた時、前記端末識別ＩＤを有する携帯端末に音又は振動を出力させることが好ましい。
【０００８】
この案内システムは、携帯端末を携行するユーザに案内情報を提供するためのシステムであって、固定設置され、表示する情報が可変であるサイネージ端末と、前記各サイネージ端末に対応して設けられたビーコンと、前記サイネージ端末及び携帯端末と通信可能に接続されたサーバとを備え、前記ビーコンは、そのビーコンを識別する固有識別ＩＤを含むビーコン信号を発信し、携帯端末は、目的地情報が入力されており、前記ビーコン信号を受信した時、その固有識別ＩＤ及び前記目的地情報を前記サーバに送信し、前記サーバは、前記固有識別ＩＤ及び目的地情報を受信した時、その固有識別ＩＤを有するビーコンの設置エリアから前記目的地情報で示される目的地に案内するための案内情報を前記サイネージ端末に表示させることを特徴としてもよい。
【０００９】
この案内システムにおいて、前記携帯端末は、前記ビーコン信号を受信した時、又は、前記固有識別ＩＤ及び目的地情報を前記サーバに送信した時、音又は振動を出力することが好ましい。
【００１０】
この案内システムにおいて、前記サイネージ端末は、音声を出力するスピーカを有し、案内情報を表示した時、前記スピーカに音声を出力させることが好ましい。
【００１１】
この案内システムにおいて、前記携帯端末は、前記サイネージ端末に表示するためのユーザ名が設定されており、前記目的地情報に加えてそのユーザ名を前記サーバに送信し、前記サーバは、案内情報を前記サイネージ端末に表示させる時、その案内情報とともに前記ユーザ名を表示させることが好ましい。
【００１２】
この案内システムにおいて、前記携帯端末は、表示言語が設定され、前記目的地情報に加えてその表示言語の情報を前記サーバに送信し、前記サーバは、案内情報を前記サイネージ端末に表示させる時、前記表示言語に応じた案内情報を表示させることが好ましい。
【００１３】
この案内システムにおいて、前記サーバは、前記サイネージ端末に案内情報を表示させていない表示エリアがある時、その表示エリアに広告を表示させることが好ましい。
【００１４】
この案内システムにおいて、前記サーバは、前記ビーコンの設置エリアに応じて、そのビーコンに対応する前記サイネージ端末に広告を表示させることが好ましい。
【００１５】
この案内システムにおいて、前記サーバは、表示する時間帯に応じて、前記サイネージ端末に広告を表示させることが好ましい。
【００１６】
この案内システムにおいて、前記携帯端末は、その携帯端末のユーザの属性情報を有し、前記目的地情報に加えてその属性情報を前記サーバに送信し、前記サーバは、案内情報を前記サイネージ端末に表示させる時、その案内情報とともに前記属性情報に応じた広告を表示させることが好ましい。
【００１７】
この案内システムにおいて、前記属性情報は、ユーザの年齢及び性別の情報を含むことが好ましい。
【００１８】
この案内システムにおいて、前記サーバは、前記目的地情報及び属性情報を、それを受信した時間帯ごとに蓄積する案内実績データベースを有することが好ましい。
【００１９】
この案内システムにおいて、前記携帯端末は、目的地を検索するためのユーザによる入力を受け付け、その検索結果に基づいて前記目的地情報が入力されることが好ましい。
【００２０】
入力支援用サイネージ端末をさらに備え、前記入力支援用サイネージ端末は、固定設置され、前記サーバと通信可能に接続され、表示する情報が可変であり、ユーザによる目的地の入力を受け、前記サーバは、前記入力支援用サイネージ端末に入力された目的地の２次元バーコードをその入力支援用サイネージ端末に表示させ、前記携帯端末は、２次元バーコードを撮像する機能を有し、撮像された前記目的地の２次元バーコードに基づいて前記目的地情報が入力されることが好ましい。
【００２１】
この案内システムにおいて、前記サーバは、前記入力支援用サイネージ端末に目的地の２次元バーコードを表示させた後、所定の時間内に前記携帯端末から前記目的地情報を受信しない場合、前記目的地に案内するための案内情報をその入力支援用サイネージ端末に一定時間表示させることが好ましい。
【発明の効果】
【００２２】
本発明の案内システムによれば、固定設置されたサイネージ端末に案内情報を表示するので、携帯端末を見ながら歩くことを誘発せずに、携帯端末を携行するユーザに案内情報を提供することができる。
【図面の簡単な説明】
【００２３】
【図１】本発明の実施形態に係る案内システムのブロック構成図。
【図２】本発明の第１の実施形態に係る案内システムにおける処理を示すフロー図。
【図３】同システムにおけるサイネージ端末の表示例を示す図。
【図４】本発明の第２の実施形態に係る案内システムにおける処理を示すフロー図。
【発明を実施するための形態】
【００２４】
（第１の実施形態）
本発明の第１の実施形態に係る案内システムを図１乃至図３を参照して説明する。図１に示すように、案内システム１は、携帯端末２を携行するユーザに案内情報を提供するためのシステムである。この案内システム１は、サイネージ端末３と、ビーコン４と、サーバ５とを備える。サイネージ端末３は、表示する情報が可変である情報端末であり、固定設置される。ビーコン４は、各サイネージ端末３に対応して設けられる。サーバ５は、サイネージ端末３及びビーコン４と通信可能に接続されている。サイネージ端末３は、音声を出力するスピーカ６を有する。
【００２５】
案内システム１の構成をさらに詳述する。携帯端末２は、スマートフォンであり、表示装置及び入力装置としてのタッチパネル付き液晶又は有機ＥＬディスプレイ、ＣＰＵ、メモリ等を有し、案内システム１に対応したアプリケーションプログラム（アプリ）がインストールされ、携帯電話網を利用した通信機能、及びビーコン４が発信するビーコン信号を受信する機能等を有する。
【００２６】
サイネージ端末３は、制御部及び表示部等を有する。サイネージ端末３の制御部は、通信によってサーバ５から取得したコンテンツを表示部としてのディスプレイに表示する。サイネージ端末３は、表示が可変であるので可変サイネージ端末とも呼ばれ、通信と表示にデジタル技術を活用しているのでデジタル・サイネージ（Ｄｉｇｉｔａｌ  Ｓｉｇｎａｇｅ）とも呼ばれる。サイネージ端末３は、例えば、従来の案内表示板と同様に、駅や商業施設の屋内通路等、人の動線に沿って、視認が容易で人等の移動に支障しない位置に設置される。ルート案内のためには、サイネージ端末３は、複数設置されることが望ましいが、１つであっても構わない。
【００２７】
ビーコン４は、低消費電力の近距離無線通信を用いて存在や位置を伝えるための信号を発信する装置である。本実施形態のビーコン４に用いられる近距離無線通信は、ＢＬＥ（Ｂｌｕｅｔｏｏｔｈ（登録商標）  Ｌｏｗ  Ｅｎｅｒｇｙ）である。ビーコン４は、各サイネージ端末３の近傍又はサイネージ端末３と一体に設けられる。ビーコン４が発信したビーコン信号が受信可能な距離は、サイネージ端末３の視認距離を考慮し、例えば、数メートルから十数メートル程度とされる。なお、ビーコン４によるビーコン信号の発信に無線ＬＡＮ（Ｗｉ−Ｆｉ）を用いてもよい。
【００２８】
サーバ５は、コンピュータであり、サイネージ端末３とインターネット網を介して接続され、携帯端末２とモバイルネットワーク７を介して接続される。本実施形態では、サーバ５としてクラウドコンピューティングサービスを利用している。
【００２９】
スピーカ６は、音声を出力する指向性スピーカであり、サイネージ端末３に外付けされる。スピーカ６をサイネージ端末３の筐体に内蔵してもよい。
【００３０】
上記のように構成された案内システム１における処理を説明する。携帯端末２は、その携帯端末２を識別する端末識別ＩＤを有する。携帯端末２は、アプリケーションプログラムの実行により、構内地図情報等の表示や、情報入力インターフェースを提供する。図２に示すように、携帯端末２は、目的地情報が入力された時（Ｓ１０１）、その端末識別ＩＤ及び目的地情報をサーバ５に送信する（Ｓ１０２）。
【００３１】
箇所Ａのビーコン４は、そのビーコン４を識別する固有識別ＩＤを含むビーコン信号を発信する（Ｓ１０３）。ビーコン４は、常時又は所定の周期でそのようなビーコン信号を発信している。
【００３２】
そして、携帯端末２を携行するユーザがビーコン４に接近すると、携帯端末２はビーコン信号を受信する（Ｓ１０４）。携帯端末２は、ビーコン信号を受信した時（Ｓ１０４）、そのビーコン信号に含まれる固有識別ＩＤ及び当該携帯端末２の端末識別ＩＤをサーバ５に送信する（Ｓ１０５）。
【００３３】
そして、サーバ５は、固有識別ＩＤ及び端末識別ＩＤを受信した時（Ｓ１０７）、その固有識別ＩＤを有するビーコン４の設置エリアを判定し（エリア判定、Ｓ１０７）、端末識別ＩＤから目的地情報を特定し、そのビーコン４の設置エリアから目的地情報で示される目的地に案内するための案内情報を作成し（コンテンツ制御、Ｓ１０７）、その案内情報をサイネージ端末３に表示させる(Ｓ１０８〜Ｓ１１０)。本実施形態では、サーバ５は、案内情報を作成するためのデータを蓄積する案内情報データベース５１を有し（図１参照）、案内情報を作成する時、その案内情報データベース５１を参照する。
【００３４】
このように、案内システム１は、固定設置されたサイネージ端末３に案内情報を表示するので、携帯端末２を見ながら歩くことを誘発せずに、携帯端末２を携行するユーザに案内情報を提供することができる。人は、目的地に向かう際、案内サインを探すという行動特性を有する。案内システム１は、このような行動特性を活かしたルート案内を提供することができる。また、サイネージ端末３は携帯端末２と通信する必要が無く、ビーコン４は携帯端末２から情報を受信する必要が無いので、サイネージ端末３及びビーコン４の構成及び動作が簡素化され、導入及び運用のコストが低減される。
【００３５】
図３に示すように、例えば、サイネージ端末３は、表示部３１に固定表示エリア３１１及び可変表示アリア３１２を有する。固定表示エリア３１１によって、ユーザを限定しない案内情報が提供される。この例では、固定表示エリア３１１には、トイレに案内する情報がピクトグラム（案内用図記号）で表示されている。可変表示エリアによって、各ユーザに対応した案内情報（ｏｎｅ  ｔｏ  ｏｎｅの案内）が提供される。複数のユーザに対応するため、可変表示エリア３１２は、複数の表示エリア３１２ａ〜３１２ｅを有し、複数の案内情報を表示可能である。例えば、切符売り場に案内する情報が一つの表示エリア３１２ｃに表示されている。目的地に案内する情報は、目的地の表示（文字又はピクトグラム）及び目的地への方向の表示（矢印）である。案内情報は、例えば、目的地までの距離や目印等の情報を含んでもよい。なお、固定表示エリア３１１に文字を表示してもよく、可変表示エリア３１２にピクトグラムを表示してもよい。また、固定表示エリア３１１を省略してもよい。また、表示部３１に動画を表示してもよい。
【００３６】
そして、サイネージ端末３は、案内情報を表示した時（Ｓ１１０）、スピーカ６に音声を出力させる（Ｓ１１１〜Ｓ１１３）。
【００３７】
これにより、案内システム１は、案内情報を音声で提供することができ、目の不自由な方への案内に対応することができる。なお、スピーカ６が出力する音声が単音等の言語情報を含まない場合、案内システム１は、その音によりサイネージ端末３への注目を喚起することができる。
【００３８】
また、サーバ５は、案内情報をサイネージ端末３に表示させた時（図２のＳ１０８）、Ｓ１０２で取得した端末識別ＩＤを有する携帯端末に音又は振動を出力させる（Ｓ１１４〜Ｓ１１６）。
【００３９】
これにより、案内システム１は、携帯端末２を携行するユーザに対してサイネージ端末３への注目を喚起することができる。そして、ユーザは、サイネージ端末３に表示された案内情報（サイネージ）を確認する（Ｓ１１７）。
【００４０】
そして、携帯端末２を携行するユーザは、箇所Ａから箇所Ｂに移動する。箇所Ｂにおける処理は、箇所Ａにおける処理と同様である。
【００４１】
箇所Ｂのビーコン４は、そのビーコン４を識別する固有識別ＩＤを含むビーコン信号を発信する（Ｓ１１８）。ビーコン４は、常時又は所定の周期でそのようなビーコン信号を発信している。
【００４２】
そして、携帯端末２は、ビーコン信号を受信した時（Ｓ１１９）、そのビーコン信号に含まれる固有識別ＩＤ及び当該携帯端末２の端末識別ＩＤをサーバ５に送信する（Ｓ１２０）。それ以降の処理も箇所Ａと同様である。また、箇所Ａ、Ｂ以外の箇所においても処理は同様である。
【００４３】
このように、案内システム１は、ユーザの移動に対応したルート案内を提供することができる。
【００４４】
携帯端末２は、サイネージ端末３に表示するためのユーザ名が設定されており、目的地情報に加えてそのユーザ名をサーバに送信する（Ｓ１０１及びＳ１０２）。この処理は、携帯端末２にインストールされているアプリケーションプログラムによって実行される。そして、サーバ５は、案内情報をサイネージ端末３に表示させる時（Ｓ１０８〜Ｓ１１０）、その案内情報とともにユーザ名を表示させる（図３の表示エリア３１２ａ参照）。
【００４５】
これにより、ユーザは、案内情報が自分に提供されたことを容易に認識することができる。
【００４６】
携帯端末２は、表示言語が設定され、目的地情報に加えてその表示言語の情報をサーバ５に送信する（図２のＳ１０１及びＳ１０２）。そして、サーバ５は、案内情報をサイネージ端末３に表示させる時（Ｓ１０８〜Ｓ１１０）、表示言語に応じた案内情報を表示させる（Ｓ１０８〜Ｓ１１０）。表示言語は、例えば、携帯端末２（スマートフォン）のＯＳ（オペレーティングシステム）に設定された表示言語とされる。携帯端末２のアプリケーションプログラムで表示言語を設定してもよい。例えば、設定された表示言語が英語であるとき、英語で案内情報がサイネージ端末３に表示される（図３の表示アリア３１２ｄ参照）。また、案内情報がピクトグラムで表示されるものであり、例えば、日本と外国のピクトグラムが異なる場合、表示言語が日本語であるとき、日本のピクトグラムがサイネージ端末３に表示され、表示言語が外国語であるとき、その外国のピクトグラムがサイネージ端末３に表示される。
【００４７】
これにより、案内システム１は、案内情報をユーザにわかりやすく提供することができる。
【００４８】
次に、案内システム１の広告機能について説明する。サーバ５は、サイネージ端末３に案内情報を表示させていない表示エリアがある時、その表示エリアに広告を表示させる（図３参照）。本実施形態では、サーバ５は、広告データを蓄積した広告データベース５２を有する（図１参照）。サーバ５は、広告データベース５２内の広告データから広告データを選択し、その広告データをサイネージ端末３に表示させる（図３の表示エリア３１２ｂ参照）。
【００４９】
このように、案内システム１は、広告機能を有するので、案内システム１を導入及び運用する事業者のインセンティブが向上する。
【００５０】
サーバ５は、ビーコン４の設置エリアに応じて、そのビーコン４に対応するサイネージ端末３に広告を表示させる（図１参照）。本実施形態では、広告データベース５２は、ビーコン４の設置エリアに対応させて広告データが蓄積されている。サーバ５は、ビーコン４の設置エリアに応じて、広告データベース５２内の広告データから広告データを選択し、その広告データをサイネージ端末３に表示させる。
【００５１】
これにより、例えば、店舗が費用負担してサイネージ端末３及びビーコン４を設置し、そのサイネージ端末３にその店舗の広告を表示することにより、案内システム１を導入及び運用する事業者にとって、サイネージ端末３及びビーコン４の設置が容易になる。
【００５２】
サーバ５は、表示する時間帯に応じて、サイネージ端末３に広告を表示させる。本実施形態では、広告データベース５２は、表示する時間帯に対応させて広告データが蓄積されている。その時間帯は、曜日、平日と祝日の区別、時間範囲等の時間帯に関する情報を含む。サーバ５は、表示する時間帯に応じて、広告データベース５２内の広告データから広告データを選択し、その広告データをサイネージ端末３に表示させる。
【００５３】
これにより、案内システム１は、広告機能の効果を高めることができる。
【００５４】
携帯端末２は、その携帯端末２のユーザの属性情報を有し、目的地情報に加えてその属性情報をサーバ５に送信する（図２のＳ１０１及びＳ１０２）。サーバ５は、案内情報をサイネージ端末３に表示させる時、その案内情報とともに属性情報に応じた広告を表示させる。本実施形態では、広告データベース５２は、ユーザの属性に対応させて広告データが蓄積されている。サーバ５は、ユーザの属性に応じて、広告データベース５２内の広告データから広告データを選択し、その広告データをサイネージ端末３に表示させる。
【００５５】
これにより、案内システム１は、案内情報とともに、ユーザの属性に合った広告をユーザに提供することができ、広告機能の効果を高めることができる。
【００５６】
属性情報は、例えば、ユーザの年齢及び性別の情報を含む。属性情報は、ユーザの年齢及び性別の情報に限定されず、例えば、ユーザの趣味嗜好、よく利用する店舗等の情報を含んでもよい。本実施形態では、ユーザの年齢及び性別に加えて、趣味嗜好及びよく利用する店舗等が属性情報として携帯端末２のアプリケーションプログラムに入力され、サーバ５に送信され、案内システム１の広告機能に利用される。
【００５７】
これにより、案内システム１は、案内情報とともに、ユーザの年齢及び性別等の属性に合った広告をユーザに提供することができる。
【００５８】
本実施形態では、サーバ５は、ビーコン４の設置エリア、表示する時間帯、及びユーザの属性等に応じてサイネージ端末３に広告を表示させる。このため、広告データベース５２は、ビーコン４の設置エリア、表示する時間帯、及びユーザの属性等に対応させて広告データが蓄積される。サーバ５は、ビーコン４の設置エリア、表示する時間帯、及びユーザの属性等に応じて、広告データベース５２内の広告データから広告データを選択し、その広告データをサイネージ端末３に表示させる。
【００５９】
例えば、飲食店が酒類の割引を行う時間帯（ハッピーアワー時間帯）に２０代以上の男性に対して、飲食店へのルート案内に加えて、ビールの割引やお店の空き状況等をサイネージ端末３に表示する。また、１５時前後にスイーツ店のルート案内に加えておすすめのセット商品の案内をサイネージ端末３に表示する。このように、案内システム１は、飲食店、商業施設等と提携して特定の属性を有するユーザに広告を表示し、誘客することができる。
【００６０】
サーバ５は、目的地情報及び属性情報を、それを受信した時間帯ごとに蓄積する案内実績データベース５３を有する（図１参照）。
【００６１】
これにより、案内システム１は、どの属性を有する人がどの時間帯にどこに行こうとしたかという行動の実績データを蓄積することができる。案内実績データベース５３のデータは、ビッグデータとして分析され、活用される。例えば、サーバ５は、案内実績データベース５３のデータを機械学習により分析し、その分析結果を用いて広告効果が高くなるように広告データベース５２のデータを更新する。これにより、誘客効果を測定し、測定結果が利用される。
【００６２】
また、案内システム１は、異常時にも活用される。案内システム１は、入力操作又は火災報知器の動作等によって異常時であることがサーバ５に入力された時、最優先の処理として、サーバ５は、避難経路を案内する情報をサイネージ端末３に表示させる。
【００６３】
これにより、案内システム１は、異常時におけるユーザの安全確保に寄与する。
【００６４】
次に、携帯端末２への目的地情報の入力について説明する。携帯端末２は、目的地を検索するためのユーザによる入力を受け付け、その検索結果に基づいて目的地情報が入力される。
【００６５】
これにより、携帯端末２への目的地情報の入力が容易になる。
【００６６】
案内システム１は、上述した案内情報表示用のサイネージ端末３に加えて、入力支援用サイネージ端末８をさらに備える（図１参照）。入力支援用サイネージ端末８は、携帯端末２を携行するユーザが携帯端末２に目的地情報を入力することを支援するものであり、例えば、サイネージ端末３及びビーコン４が設けられた建物の入口付近に設置される。入力支援用サイネージ端末８は、固定設置され、サーバ５と通信可能に接続され、表示する情報が可変である点は、案内表示用のサイネージ端末３と同様である。入力支援用サイネージ端末８は、ユーザからの入力を受け付ける機能をさらに有する。本実施形態では、入力支援用サイネージ端末８は、音声入力を受け付ける対話型サイネージ端末である（ＡＩ対話型システム）。ユーザからの入力は、音声に限定されず、例えば、入力支援用サイネージ端末８は、タッチパネルやボタン等を有してもよい。
【００６７】
ユーザは、入力支援用サイネージ端末８を用いて目的地を検索することができる。その検索機能は、サーバ５によって提供される（クラウドコンピューティングサービス）。入力支援用サイネージ端末８は、目的地の候補を表示し、ユーザによる目的地の入力を受ける。
【００６８】
そして、サーバ５は、入力支援用サイネージ端末８に入力された目的地の２次元バーコードを作成し、その２次元バーコードをその入力支援用サイネージ端末８に表示させる。そして、携帯端末２は、２次元バーコードを撮像する機能を有し、撮像された目的地の２次元バーコードに基づいて目的地情報が入力される。
【００６９】
これにより、携帯端末２への目的地情報の入力がいっそう容易になる。そして、携帯端末２を携行するユーザがビーコン４に接近すると（図２のＳ１０４）、案内情報がサイネージ端末３に表示される（Ｓ１１０）。
【００７０】
サーバ５は、入力支援用サイネージ端末８に目的地の２次元バーコードを表示させた後、所定の時間内に携帯端末２から目的地情報を受信しない場合、目的地に案内するための案内情報をその入力支援用サイネージ端末８に一定時間表示させる。
【００７１】
これにより、案内システム１は、サーバ５が携帯端末２から目的地情報を受信しない場合、案内情報をサイネージ端末３に表示しないが、案内情報を入力支援用サイネージ端末８に表示することができる。このようなことは、例えば、ユーザが目的地の２次元バーコードを携帯端末２で撮像しない場合に発生する。
【００７２】
（第２の実施形態）
本発明の第２の実施形態に係る案内システムを図１、図３及び図４を参照して説明する。本実施形態の案内システム１は、第１の実施形態と同じハード構成を有し（図１及び図３参照）、携帯端末２及びサーバ５におけるソフトによる処理が一部異なる（図４参照）。本実施形態では、第１の実施形態と同等の箇所には同じ符号を付している。以下の説明において、第１の実施形態と同等の箇所の詳細な説明は省略する。第１の実施形態では、携帯端末２の端末識別ＩＤを用いるが（図２参照）、本実施形態では、端末識別ＩＤを用いない（図４参照）。
【００７３】
第２の実施形態にかかる案内システム１における処理を説明する。携帯端末２は、アプリケーションプログラムの実行により、構内地図情報等の表示や、情報入力インターフェースを提供する。図４に示すように、携帯端末２は、目的地情報が入力される（Ｓ２０１）。
【００７４】
箇所Ａのビーコン４は、そのビーコン４を識別する固有識別ＩＤを含むビーコン信号を発信する（Ｓ２０２）。ビーコン４は、常時又は所定の周期でそのようなビーコン信号を発信している。
【００７５】
そして、携帯端末２を携行するユーザがビーコン４に接近すると、携帯端末２はビーコン信号を受信する（Ｓ２０３）。携帯端末２は、ビーコン信号を受信した時（Ｓ２０３）、そのビーコン信号に含まれる固有識別ＩＤ及び目的地情報をサーバ５に送信する（Ｓ２０４）。
【００７６】
そして、サーバ５は、固有識別ＩＤ及び目的地情報を受信した時（Ｓ２０５）、その固有識別ＩＤを有するビーコン４の設置エリアを判定し（エリア判定、Ｓ２０６）、その設置エリアから目的地情報で示される目的地に案内するための案内情報を作成し（コンテンツ制御、Ｓ２０６）、その案内情報をサイネージ端末３に表示させる(Ｓ２０７〜Ｓ２０９)。
【００７７】
このように、案内システム１は、固定設置されたサイネージ端末３に案内情報を表示するので、携帯端末２を見ながら歩くことを誘発せずに、携帯端末２を携行するユーザに案内情報を提供することができる。人は、目的地に向かう際、案内サインを探すという行動特性を有する。案内システム１は、このような行動特性を活かしたルート案内を提供することができる。また、サイネージ端末３は携帯端末２と通信する必要が無く、ビーコン４は携帯端末２から情報を受信する必要が無いので、サイネージ端末３及びビーコン４の構成及び動作が簡素化され、導入及び運用のコストが低減される。すなわち、本実施形態の案内システム１は、第１の実施形態の案内システム１と同じ効果を奏する。さらに、本実施形態では、携帯端末２の端末識別ＩＤをサーバ５に送信しないので、サーバ５での処理が第１の実施形態よりもシンプルになる。
【００７８】
そして、サイネージ端末３は、案内情報を表示した時（Ｓ２０９）、スピーカ６に音声を出力させる（Ｓ２１０〜Ｓ２１２）。
【００７９】
これにより、案内システム１は、案内情報を音声で提供することができ、目の不自由な方への案内に対応することができる。なお、スピーカ６が出力する音声が単音等の言語情報を含まない場合、案内システム１は、その音によりサイネージ端末３への注目を喚起することができる。
【００８０】
また、携帯端末２は、固有識別ＩＤ及び目的地情報をサーバ５に送信した時（Ｓ２０４）、音又は振動を出力する（Ｓ２１３）。携帯端末２は、固有識別ＩＤ及び目的地情報をサーバ５に送信した時（Ｓ２０４）に代えて、ビーコン信号を受信した時（Ｓ２０３）、音又は振動を出力してもよい（Ｓ２１３）。
【００８１】
これにより、案内システム１は、携帯端末２を携行するユーザに対してサイネージ端末３への注目を喚起することができる。そして、ユーザは、サイネージ端末３に表示された案内情報（サイネージ）を確認する（Ｓ２１４）。
【００８２】
そして、携帯端末２を携行するユーザは、箇所Ａから箇所Ｂに移動する。箇所Ｂにおける処理は、箇所Ａにおける処理と同様である。
【００８３】
箇所Ｂのビーコン４は、そのビーコン４を識別する固有識別ＩＤを含むビーコン信号を発信する（Ｓ２１５）。ビーコン４は、常時又は所定の周期でそのようなビーコン信号を発信している。
【００８４】
そして、携帯端末２は、ビーコン信号を受信した時（Ｓ２１６）、そのビーコン信号に含まれる固有識別ＩＤ及び目的地情報をサーバ５に送信する（Ｓ２１７）。それ以降の処理も箇所Ａと同様である。また、箇所Ａ、Ｂ以外においても処理は同様である。
【００８５】
このように、案内システム１は、ユーザの移動に対応したルート案内を提供することができる。
【００８６】
携帯端末２は、サイネージ端末３に表示するためのユーザ名が設定されており、目的地情報に加えてそのユーザ名をサーバに送信する（Ｓ２０４及びＳ２０５）。この処理は、携帯端末２にインストールされているアプリケーションプログラムによって実行される。そして、サーバ５は、案内情報をサイネージ端末３に表示させる時（Ｓ２０７〜Ｓ２０９）、その案内情報とともにユーザ名を表示させる（図３の表示エリア３１２ａ参照）。
【００８７】
これにより、ユーザは、案内情報が自分に提供されたことを容易に認識することができる。
【００８８】
携帯端末２は、表示言語が設定され、目的地情報に加えてその表示言語の情報をサーバ５に送信する（図４のＳ２０４及びＳ２０５）。そして、サーバ５は、案内情報をサイネージ端末３に表示させる時、表示言語に応じた案内情報を表示させる（Ｓ２０７〜Ｓ２０９）。
【００８９】
これにより、案内システム１は、案内情報をユーザにわかりやすく提供することができる。
【００９０】
本実施形態の案内システム１の広告機能は、第１の実施形態と同様である。サーバ５は、サイネージ端末３に案内情報を表示させていない表示エリアがある時、その表示エリアに広告を表示させる（図３参照）。
【００９１】
サーバ５は、ビーコン４の設置エリアに応じて、そのビーコン４に対応するサイネージ端末３に広告を表示させる（図１参照）。
【００９２】
サーバ５は、表示する時間帯に応じて、サイネージ端末３に広告を表示させる。
【００９３】
携帯端末２は、その携帯端末２のユーザの属性情報を有し、目的地情報に加えてその属性情報をサーバ５に送信する（図４のＳ２０４及びＳ２０５）。サーバ５は、案内情報をサイネージ端末３に表示させる時、その案内情報とともに属性情報に応じた広告を表示させる。
【００９４】
属性情報は、例えば、ユーザの年齢及び性別の情報を含む。
【００９５】
サーバ５は、目的地情報及び属性情報を、それを受信した時間帯ごとに蓄積する案内実績データベース５３を有する（図１参照）。
【００９６】
また、案内システム１は、異常時にも活用される。案内システム１は、異常時であることがサーバ５に入力された時、最優先の処理として、サーバ５は、避難経路の情報をサイネージ端末３に表示させる。
【００９７】
携帯端末２への目的地情報の入力については、第１の実施形態と同様である。携帯端末２は、目的地を検索するためのユーザによる入力を受け付け、その検索結果に基づいて目的地情報が入力される。
【００９８】
案内システム１は、入力支援用サイネージ端末８をさらに備える（図１参照）。入力支援用サイネージ端末８は、固定設置され、サーバ５と通信可能に接続され、表示する情報が可変であり、ユーザからの入力を受け付ける機能をさらに有する。
【００９９】
入力支援用サイネージ端末８は、ユーザによる目的地の入力を受ける。
【０１００】
そして、サーバ５は、入力支援用サイネージ端末８に入力された目的地の２次元バーコードをその入力支援用サイネージ端末８に表示させる。そして、携帯端末２は、２次元バーコードを撮像する機能を有し、撮像された目的地の２次元バーコードに基づいて目的地情報が入力される。
【０１０１】
これにより、携帯端末２への目的地情報の入力がいっそう容易になる。そして、携帯端末２を携行するユーザがビーコン４に接近すると（図４のＳ２０３）、案内情報がサイネージ端末３に表示される（Ｓ２０９）。
【０１０２】
サーバ５は、入力支援用サイネージ端末８に目的地の２次元バーコードを表示させた後、所定の時間内に携帯端末２から目的地情報を受信しない場合、目的地に案内するための案内情報をその入力支援用サイネージ端末８に一定時間表示させる。
【０１０３】
これにより、案内システム１は、サーバ５が所定の時間内に携帯端末２から目的地情報を受信しない場合であっても、案内情報を入力支援用サイネージ端末８に表示することができる。このようなことは、本実施形態では、例えば、ユーザが目的地の２次元バーコードを携帯端末２で撮像しない場合や、２次元バーコードを撮像した後に入力支援用サイネージ端末８の近くに居続けた場合に発生する。
【０１０４】
なお、本発明は、上記の実施形態の構成に限られず、発明の要旨を変更しない範囲で種々の変形が可能である。例えば、この案内システム１は、屋内のルート案内に好適であるが、屋内での案内に限定されず、サイネージ端末３及びビーコン４は、一部又は全部を建物の外に設置してもよい。
【符号の説明】
【０１０５】
１  案内システム
２  携帯端末
３  サイネージ端末
４  ビーコン
５  サーバ
６  スピーカ
８  入力支援用サイネージ端末
【図１】
2020176960.tif 000003
【図２】
2020176960.tif 000004
【図３】
2020176960.tif 000005
【図４】
2020176960.tif 000006